(57)【要約】      （修正有）【課題】保存容器内の温度を一定に保つとともに貯蔵物の乾燥を抑えて貯蔵物の鮮度を保つことができる冷蔵庫を提供する。【解決手段】貯蔵物を収納する保存容器５０を貯蔵室７内に配置した冷蔵庫において、保存容器５０が密閉可能に形成されるとともに保存容器５０と貯蔵室７の内壁との間に冷気が流通する隙間Ｓを有して配され、保存容器５０の周壁に蓄冷材１００を設ける。また保存容器５０の開口部５２ｅを開閉する調湿ダンパ５５を設け、保存容器５０が所定湿度よりも高湿度になった際に、調湿ダンパ５５により開口部５２ｅを開く。【選択図】図２
2013104594.tif 000002
【特許請求の範囲】
【請求項１】
貯蔵物を収納する保存容器を貯蔵室内に配置した冷蔵庫において、
前記保存容器が密閉可能に形成されるとともに、前記保存容器と前記貯蔵室の内壁との間に冷気が流通する隙間を有し、前記保存容器の周壁に蓄冷材を設けたことを特徴とする冷蔵庫。
【請求項２】
前記保存容器に冷気が通る開口部を開口するとともに、前記開口部を開閉する調湿ダンパを設け、前記保存容器が所定湿度よりも高湿度になった際に前記調湿ダンパにより前記開口部を開いたことを特徴とする請求項１に記載の冷蔵庫。
【請求項３】
前記調湿ダンパは前記開口部を閉じた状態で前記貯蔵室に冷気を吐出する吐出口を開閉することができ、前記貯蔵室の冷却停止時又は冷気を生成する冷却器の除霜時に前記調湿ダンパにより前記吐出口を閉じることを特徴とする請求項２に記載の冷蔵庫。
【請求項４】
前記吐出口を前記貯蔵室の背面に設けるとともに、前記開口部を前記保存容器の後壁に設け、
前記調湿ダンパは前記保存容器に軸支して前記開口部内に配置されるとともに、前記開口部の周縁又は周囲に当接して開口部を塞ぐ第１当接面及び第２当接面と、前記吐出口の周囲に当接して前記吐出口を塞ぐ第３当接面とを有し、
第１当接面により前記開口部を塞いだ際に前記吐出口が開かれ、第２当接面により前記開口部を塞いだ際に前記吐出口が第３当接面により閉じられることを特徴とする請求項２又は３に記載の冷蔵庫。
【請求項５】
前記吐出口を前記貯蔵室の背面に設けて前記吐出口から流入する冷気の気流が前記貯蔵室の上面に沿って前方に流通し、
前記調湿ダンパは前記保存容器に軸支して前記開口部内に配置されるとともに、前記開口部の周縁又は周囲に当接して開口部を塞ぐ第１当接面及び第２当接面と、前記吐出口の周囲に当接して前記吐出口を塞ぐ第３当接面とを有し、
第１当接面により前記開口部を塞いだ際に前記吐出口が開かれ、第２当接面により前記開口部を塞いだ際に前記吐出口が第３当接面により閉じられ、
前記開口部を開いた際に前記開口部に連通して前記気流に面して開口する細通路が形成されることを特徴とする請求項２又は３に記載の冷蔵庫。
【請求項６】
前記保存容器の前壁が透明部材から成り、前記前壁を除く前記周壁に前記蓄冷材を配したことを特徴とする請求項１〜５のいずれかに記載の冷蔵庫。
【請求項７】
前記蓄冷材が前記周壁に封入される水又は塩化ナトリウム水溶液であることを特徴とする請求項１〜６のいずれかに記載の冷蔵庫。
【請求項８】
前記保存容器は上面を開放した箱状の容器部と前記容器部の上面を塞ぐ蓋部とを有し、前記蓋部が前記貯蔵室に固定されるとともに前記容器部が前後方向にスライドすることを特徴とする請求項１〜７のいずれかに記載の冷蔵庫。
【請求項９】
前記保存容器は前面を開放して前記貯蔵室に固定される箱状の容器部と前記容器部の前方を開閉する蓋部とを有することを特徴とする請求項１〜７のいずれかに記載の冷蔵庫。
【請求項１０】
前記貯蔵室は前記冷蔵室内に隔離して配され、周囲の前記冷蔵室内よりも低温に維持されることを特徴とする請求項１〜９のいずれかに記載の冷蔵庫。
【発明の詳細な説明】
【技術分野】
【０００１】
本発明は貯蔵室内に保存容器を備えた冷蔵庫に関する。
【背景技術】
【０００２】
野菜等の食品の鮮度を長期間維持するには、食品を凍結させない程度の低温度かつ高湿度の環境下で保存すればよいことが知られる。例えば、特許文献１に開示される冷蔵庫は貯蔵室内に設けられる保存容器と調湿板とを備える。調湿板は保存容器の上面に設けられ、食品から出る水分を吸収する親水性多孔質ポリエチレン板等から成る。保存容器内の前後の上部には冷却器からの冷気が流入する開口部と流入した冷気が流出する流出口とを備えている。
【０００３】
調湿板によって保存容器内の水分を吸収し、保存容器内の湿度が８０〜９０％ＲＨに確保されるように開口部と流出口との大きさが決められる。これにより、保存容器内の食品は冷気によって冷却されるとともに、所定の湿度が保たれる構成となっている。
【０００４】
特許文献２に開示される冷蔵庫は貯蔵室内に設けられる保存容器とフィルタとを備える。保存容器はアルミニウム、ステンレス、鉄、銅などの熱良導性を有する金属により構成される。貯蔵室内は０℃〜３℃に設定されて保存容器は間接冷却される。フィルタは保存容器の蓋部の開口部に設けられ、保湿性を備えたポリオレフィン系樹脂から成り、保存容器内の水分を吸収する。また、フィルタの一方を保存容器内に露呈し、他方を保存容器の外に露呈している。これにより、フィルタによって保存容器内の結露の発生を抑制する。
【０００５】
特許文献３に開示される冷蔵庫には貯蔵室内に設けられる電極と保存容器と加湿装置とを備える。加湿装置は保存容器の上部に設けられ、保存容器内を高湿度になるように加湿する。また、−５℃〜０℃となった貯蔵室の一部に電場を印加し、浅川効果と呼ばれる水の蒸発促進効果を得て保存容器内の結露を除去する。これにより、これにより保存容器内は所定の湿度を維持して貯蔵物を冷却している。
【先行技術文献】
【特許文献】
【０００６】
【特許文献１】特許第３１５６４９号公報
【特許文献２】特許第３４２８７９号公報
【特許文献３】特開２００８−２１５７１６号公報
【発明の概要】
【発明が解決しようとする課題】
【０００７】
しかしながら、特許文献１に開示される冷蔵庫の保存容器は常に開口部及び流出口が開口しており、周囲冷気の温度変化を受けやすい。このため保存容器内の温度を一定に保つことが難しい。また、特許文献２に開示される冷蔵庫の保存容器は熱良導体で構成されるため、周囲冷気の温度変化を受けやすく、保存容器内の温度を一定に保つことが難しい。
【０００８】
保存容器内の温度を一定に保つことができない場合、冷蔵庫の扉開閉時や除霜時などの周囲温度の上昇に伴い、保存容器内の温度も同様に上昇する。また、冷却時には保存容器内も同様に温度が下降して氷点以下となり、食品が凍結する可能性がある。このため、貯蔵物が劣化するという問題があった。
【０００９】
また、特許文献３に開示される冷蔵庫は加圧装置を備えるため冷蔵庫の構造の複雑化、コスト及びメンテナンス性などの問題がある。
【００１０】
本発明は、単純な構成で保存容器内の温度を一定に保つとともに貯蔵物の乾燥を抑えて貯蔵物の鮮度を保つことができる冷蔵庫を提供することを目的とする。
【課題を解決するための手段】
【００１１】
上記目的を達成するために本発明は、貯蔵物を収納する保存容器を貯蔵室内に配置した冷蔵庫において、前記保存容器が密閉可能に形成されるとともに、前記保存容器と前記貯蔵室の内壁との間に冷気が流通する隙間を有し、前記保存容器の周壁に蓄冷材を設けたことを特徴とする。
【００１２】
この構成によると、冷却器からの冷気が密閉可能に形成される保存容器と貯蔵室の内壁との間に流通して保存容器を冷却する。また、保存容器の周壁には蓄冷材が設けられ、周囲の温度変動を吸収して保存容器内の温度変化を抑制する。
【００１３】
また本発明は、前記保存容器に冷気が通る開口部を開口するとともに、前記開口部を開閉する調湿ダンパを設け、前記保存容器が所定湿度よりも高湿度になった際に前記調湿ダンパにより前記開口部を開いたことを特徴とする。
【００１４】
この構成によると、調湿ダンパにより開口部を閉じると保存容器が密閉され、開口部を開くと保存容器の内外が連通して冷気が流通する。
【００１５】
また本発明は、前記調湿ダンパは前記開口部を閉じた状態で前記貯蔵室に冷気を吐出する吐出口を開閉することができ、前記貯蔵室の冷却停止時又は冷気を生成する冷却器の除霜時に前記調湿ダンパにより前記吐出口を閉じることを特徴とする。
【００１６】
この構成によると、貯蔵室の冷却停止時又は冷却器の除霜時に調湿ダンパにより吐出口及び開口部を閉じる。
【００１７】
また本発明は、前記吐出口を前記貯蔵室の背面に設けるとともに、前記開口部を前記保存容器の後壁に設け、前記調湿ダンパは前記保存容器に軸支して前記開口部内に配置されるとともに、前記開口部の周縁又は周囲に当接して開口部を塞ぐ第１当接面及び第２当接面と、前記吐出口の周囲に当接して前記吐出口を塞ぐ第３当接面とを有し、第１当接面により前記開口部を塞いだ際に前記吐出口が開かれ、第２当接面により前記開口部を塞いだ際に前記吐出口が第３当接面により閉じられることを特徴とする。
【００１８】
この構成によると、調湿ダンパは保存容器内が低湿度で冷却されている場合には第１当接面によって開口部を塞ぐ。また、保存容器内が高湿度で冷却されている場合には調湿ダンパは回動し、開口部を開口する。また、貯蔵室の冷却停止時又は冷却器の除霜の場合には、吐出口を第３当接面により閉じ、開口部を第２当接面により閉じる。
【００１９】
また本発明は、前記吐出口を前記貯蔵室の背面に設けて前記吐出口から流入する冷気の気流が前記貯蔵室の上面に沿って前方に流通し、前記調湿ダンパは前記保存容器に軸支して前記開口部内に配置されるとともに、前記開口部の周縁又は周囲に当接して開口部を塞ぐ第１当接面及び第２当接面と、前記吐出口の周囲に当接して前記吐出口を塞ぐ第３当接面とを有し、第１当接面により前記開口部を塞いだ際に前記吐出口が開かれ、第２当接面により前記開口部を塞いだ際に前記吐出口が第３当接面により閉じられ、前記開口部を開いた際に前記開口部に連通して前記気流に面して開口する細通路が形成されることを特徴とする。
【００２０】
この構成によると、保存容器内が高湿度になると、調湿ダンパは回動して開口部を開口する。このとき、開口部に連通する細通路を介して保存容器内の冷気が流出する。
【００２１】
また本発明は、前記保存容器の前壁が透明部材から成り、前記前壁を除く前記周壁に前記蓄冷材を配したことを特徴とする。
【００２２】
また本発明は、前記蓄冷材が前記周壁に封入される水又は塩化ナトリウム水溶液であることを特徴とする。
【００２３】
また本発明は、前記保存容器は上面を開放した箱状の容器部と前記容器部の上面を塞ぐ蓋部とを有し、前記蓋部が前記貯蔵室の上壁に固定されるとともに前記容器部が前後方向にスライドすることを特徴とする。この構成によると、ユーザは容器部を前後方向にスライドさせて貯蔵物を出し入れする。
【００２４】
また本発明は、前記保存容器は前面を開放して前記貯蔵室に固定される箱状の容器部と前記容器部の前方を開閉する蓋部とを有することを特徴とする。この構成によると、ユーザは蓋部を前方に開閉して貯蔵物を出し入れする。
【００２５】
また本発明は、前記貯蔵室は冷蔵室に隔離して配され、周囲の冷蔵室内よりも低温に維持されることを特徴とする。
【発明の効果】
【００２６】
本発明によると、保存容器が密閉可能に形成されるとともに保存容器と貯蔵室の内壁との間に冷気が流通する隙間を有して配され、保存容器の周壁に蓄冷材を設けたため、保存容器内の温度を一定に保つとともに貯蔵物の乾燥を抑えて貯蔵物の鮮度を保つことができる。
【図面の簡単な説明】
【００２７】
【図１】本発明の第１実施形態の冷蔵庫を示す側面断面図
【図２】本発明の第１実施形態の保存容器を示す側面断面図
【図３】本発明の第１実施形態の保存容器を示す側面断面図
【図４】本発明の第１実施形態の保存容器を示す側面断面図
【図５】本発明の第１実施形態の保存容器を示す側面断面図
【図６】本発明の第１実施形態の保存容器を示す側面断面図
【図７】本発明の第２実施形態の冷蔵庫を示す側面断面図
【図８】本発明の第２実施形態の保存容器を示す側面断面図
【図９】本発明の第２実施形態の保存容器を示す側面断面図
【図１０】本発明の第２実施形態の保存容器を示す側面断面図
【図１１】本発明の第２実施形態の保存容器を示す側面断面図
【図１２】本発明の第２実施形態の保存容器を示す側面断面図
【図１３】本発明の第３実施形態の保存容器を示す側面断面図
【図１４】本発明の第３実施形態の保存容器を示す側面断面図
【図１５】本発明の第３実施形態の保存容器を示す側面断面図
【発明を実施するための形態】
【００２８】
以下に本発明の実施形態を図面を参照して説明する。図１は第１実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁７６によって仕切られ、冷凍室４と野菜室５とは断熱壁７７によって仕切られる。
【００２９】
冷蔵室３は貯蔵物を冷蔵保存し、前面の開口部３ａは回動式の扉３ｂにより開閉される。冷蔵室３には貯蔵物を載置する複数の棚板６ａ〜６ｄが上下に並設される。棚板６ａ〜６ｄは樹脂成形品により形成され、冷蔵室３内に水平方向に固定される。
【００３０】
最下部の棚板６ｄの下方にはチルド室７が隔離して配される。チルド室７は周囲の冷蔵室３内よりも低温に維持される。これにより冷蔵室３内のフリースペースを中央付近に確保でき、利便性を向上できる。チルド室７及び保存容器５０については後述する。
【００３１】
冷凍室４は貯蔵物を冷凍保存し、前面の開口部４ａは扉４ｂにより開閉される。野菜室５は貯蔵物を冷蔵室３よりも高温の冷蔵温度で冷蔵保存し、野菜や果物などを収納する。野菜室５の前面の開口部５ａは収納ケース７８と一体に形成された引き出し式の扉５ｂにより開閉される。野菜室５の側壁及び収納ケース７８の側壁の外側には前後に延びて互いに摺動する案内部（不図示）が設けられる。案内部によって収納ケース７８が扉５ｂとともに前後に円滑に出し入れされる。
【００３２】
野菜室５の後方の機械室４２内には圧縮機４１が配される。圧縮機４１には凝縮器、膨張器（いずれも不図示）、冷却器１８が順に接続される。圧縮機４１の駆動によりイソブタン等の冷媒が循環して冷凍サイクルが構成される。冷蔵室３及び冷凍室４の背後には冷気通路２１が設けられ、冷気通路２１内に冷却器１８、送風ファン１９及び温度調整ダンパ１６が配される。送風ファン１９の駆動により熱交換して冷気が生成される。冷気通路２１を流通する冷気は冷凍室４に吐出され、冷凍室４を冷却する。また温度調節ダンパ１６を開くと冷気通路２１を流通する冷気は冷蔵室３に吐出され、冷蔵室３を冷却する。
【００３３】
図２、図３はチルド室７を示す側面断面図である。チルド室７の背壁７ｄは冷気通路２１（図１参照）との隔壁により形成され、上壁は棚板６ｄにより形成される。チルド室７の前壁７ｂ、側壁（不図示）及び底壁７ｃは背面を開口して棚板６ｄに対して前後にスライドするスライド部７ａにより形成される。これにより、チルド室７は略六面体になっている。スライド部７ａは透明樹脂により形成される。
【００３４】
チルド室７の背壁７ｄには冷気通路２１（図１参照）に連通する冷気の吐出口５８が開口する。吐出口５８の下方には野菜室５（図１参照）に連通して冷気が流出する戻り口５９が開口する。チルド室７の周囲の冷蔵室３内の冷気はチルド室７の底壁７ｃと断熱壁７６との間を流通して戻り口５９に導かれる。
【００３５】
チルド室７内には貯蔵物を収納する保存容器５０が配される。保存容器５０は樹脂成形品により形成され、容器部５２、蓋部５１及び背面部６０を有している。チルド室７の内壁と保存容器５０との間には冷気が流通する隙間Ｓが形成される。
【００３６】
蓋部５１及び背面部６０はチルド室７内に固定される。容器部５２は上面を開放した箱状に形成され、スライド部７ａに固定される。スライド部７ａ及び容器部５２を引き出して容器部５２内に貯蔵物を出し入れすることができる。容器部５２の前壁５２ａは透明樹脂により形成され、チルド室７の前壁７ｂ及び容器部５２の前壁５２ａを介して容器部５２内を視認可能になっている。
【００３７】
容器部５２をチルド室７内に収納した際に容器部５２の上面は蓋部５１により塞がれ、背壁５２ｃは背面部６０に当接する。蓋部５１の前端にはパッキン５６が設けられ、容器部５２の前壁５２ａに密接する。背面部６０にはパッキン５７が設けられ、容器部５２の背壁５２ｃに密接する。
【００３８】
容器部５２の背壁５２ｃ及び固定部材６０には互いに対向する開口部５２ｅ、６０ａが開口する。後述する調湿ダンパ５５により開口部６０ａが閉じられると保存容器５０が密閉される。
【００３９】
保存容器５０の蓋部５１を含む周壁には前壁５２ａを除き、蓄冷材１００が封入される。蓄冷材１００は水または塩化ナトリウム水溶液から成り、保存容器５０の周囲の温度を吸収する。また、蓋部５１の下面には保存容器５０内の湿度を検知する湿度センサ６３が設けられる。
【００４０】
開口部６０ａ内には調湿ダンパ５５が配される。調湿ダンパ５５は上端の回動部５５ａで蓋部５１に軸支される本体部５５ｂと本体部５５ｂから下方に突出する突出部５５ｃとを有し、回動自在に配される。本体部５５ｂの下面は回動により開口部６０ａの周縁に当接する第１当接面５５ｄを形成する（図４参照）。突出部５５ｃの背面は回動により開口部６０ａの周囲に当接する第２当接面５５ｅを形成する（図６参照）。本体部５５ｂの背面は回動により吐出口５８の周囲に当接する第３当接面５５ｆを形成する（図６参照）。
【００４１】
上記構成の冷蔵庫１において、圧縮機４１の駆動により冷却器１８と熱交換して生成される冷気は冷蔵室３、チルド室７及び冷凍室４に吐出され、冷蔵室３、チルド室７及び冷凍室４を冷却する。冷凍室４を流通した冷気は冷却器１８に戻る。チルド室７及び冷蔵室３を流通した冷気は戻り口５９を介して野菜室５に導かれ、野菜室５内を冷却した後、冷却器１８に戻る。
【００４２】
調湿ダンパ５５の回動により図４に示すように第１当接面５５ｄが開口部６０ａの周縁に当接すると、開口部６０ａが閉じられて吐出口５８が開かれる。これにより、保存容器５０内が密閉され、吐出口５８からチルド室７に吐出された冷気が矢印Ｄ１に示すように保存容器５０の周囲の隙間Ｓを流通する。そして、矢印Ｄ２に示すように戻り口５９から流出する。これにより、保存容器５０内の乾燥を防止して貯蔵物が冷却される。
【００４３】
この時、保存容器５０の蓄冷材１００に冷気の冷熱が蓄冷される。このため、冷蔵室３の扉３ｂの開成によってチルド室７の周囲温度が上昇した際に、蓄冷材１００から放出される冷熱によって保存容器５０内の昇温が防止される。従って、蓄冷材１００により周囲の冷気の温度変化を吸収し、保存容器５０内の温度を一定に保つことができる。
【００４４】
貯蔵物から蒸発する水分等によって保存容器５０内が所定湿度よりも高湿度になると、湿度センサ６３の検知により調湿ダンパ５５が回動する。これにより、図５に示すように開口部６０ａが開かれ、開口部６０ａ、５２ｅを介して保存容器５０の内外が連通する。吐出口５８から吐出された冷気は矢印Ｄ３に示すように開口部６０ａ、５２ｅを介して保存容器５０内に流入するとともに流出する。このため、保存容器５０内の湿度が低下し、所定湿度よりも低湿度になると前述の図４に示すように開口部６０ａが閉じられる。従って、保存容器５０内を調湿することができ、結露水との接触による貯蔵物の劣化を防止することができる。
【００４５】
尚、湿度センサ６３に替えてタイマー及び保存容器５０の開閉を検知する検知センサを設けてもよい。これにより、保存容器５０を開閉した後の経過時間によって保存容器５０内が所定湿度よりも高湿度になったか否かを判別することができる。
【００４６】
温度調節ダンパ１６の閉成によるチルド室７の冷却停止時や、冷却器１８の除霜時等には調湿ダンパ５５が図６に示すように回動する。即ち、第２当接面５５ｅが開口部６０ａの周囲に当接し、第３当接面５５ｆが吐出口５８の周囲に当接する。これにより、保存容器５０内が密閉され、吐出口５８を閉じて温度の高い冷気がチルド室７内に吐出されることを防止する。この時、冷却された蓄冷材１００によって周囲の冷気の温度変化を吸収し、保存容器５０内の昇温が防止される。従って、保存容器５０内の温度を一定に保つことができる。
【００４７】
本実施形態によると、保存容器５０が密閉可能に形成されるとともに、保存容器５０とチルド室７の内壁との間に冷気が流通する隙間Ｓを有し、保存容器５０の周壁に蓄冷材１００を設けたため、蓄冷材１００が周囲の温度変化を吸収して保存容器５０内の温度を一定に保つことができる。また保存容器５０が密閉されているために貯蔵物の乾燥を抑えて貯蔵物の鮮度を保つことができる。
【００４８】
また、保存容器５０に設けた開口部６０ａにより、保存容器５０が所定湿度よりも高湿度になった際に開口部６０ａを開いたため、保存容器５０内を調湿して貯蔵物の劣化を防止できる。
【００４９】
また、調湿ダンパ５５は開口部６０ａを閉じた状態でチルド室７に冷気を吐出する吐出口５８を開閉することができ、チルド室７の冷却停止時又は冷気を生成する冷却器１８の除霜時に調湿ダンパ５５により吐出口５８を閉じるため、吐出口５８及び開口部６０ａからの温度の高い冷気の流入を遮断して貯蔵物の劣化を低減することができる。
【００５０】
また、保存容器５０に軸支される調湿ダンパ５５の第１当接面５５ｄにより開口部６０ａを塞いだ際に吐出口５８が開かれ、第２当接面５５ｅにより開口部６０ａを塞いだ際に吐出口が第３当接面５５ｆにより閉じられる。これにより、貯蔵物の乾燥を抑えて鮮度を保つことを容易に実現することができる。
【００５１】
また、保存容器５０の前壁５２ａが透明部材から成り、前壁５２ａを除く周壁に蓄冷材１００を配したため、保存容器５０内の視認性を向上するとともに、結露の発生を抑制することができる。
【００５２】
また、蓄冷材１００が周壁に封入される水又は塩化ナトリウム水溶液であるため、熱容量が大きく、凍結温度が約−１℃〜０℃である。このため貯蔵物を凍結させずに保存することができる。水又は塩化ナトリウム水溶液は入手が容易であり、冷蔵室３内に漏出しても危険性がなく、清掃が簡単である。
【００５３】
また、保存容器５０は上面を開放した箱状の容器部５２と容器部５２の上面を塞ぐ蓋部５１とを有し、蓋部５１がチルド室７に固定されるとともに容器部５２が前後方向にスライドする。このため、チルド室７の内壁との間に隙間Ｓを有して密閉可能な保存容器５０を容易に実現することができる。
【００５４】
またチルド室７は冷蔵室３に隔離して配され、蓄冷材１００を有する周囲の冷蔵室３内よりも確実に低温に維持される。
【００５５】
（第２実施形態）
次に図７は第２実施形態の保存容器１５０の側面断面図を示している。説明の便宜上、前述の図１〜６を示す第１実施形態と同様の部分には同一の符号を付している。最上部の棚板６ａの上部には冷蔵室３に隔離されて配され、周囲の冷蔵室３内よりも低温に維持されるチルド室７が設けられる。これにより冷蔵室３内のフリースペースを中央付近に確保でき、利便性を向上できる。
【００５６】
図８及び図９はチルド室７を示す側面断面図である。チルド室７の前壁７ｂは上部に軸支される回動部７ｇを備え、回動部７ｇが回動して前方を開閉する。前壁７ｂの下部には回動部７ｆ及び係合部７ｅが設けられる。回動部７ｆが回動し、係合部７ｅは保存容器１５０の下壁７ｃの前端に設けられた爪部７ｈと係合する。
【００５７】
チルド室７の後方には冷気通路２１に連通してチルド室７に冷気を吐出する吐出口５８が設けられる。容器部１５２の下壁１５２ｄとチルド室７の下壁を構成する棚板６ａの間には冷気が流入する隙間Ｓが設けられる。棚板６ａと前壁７ｂとの間にはチルド室７内の冷気が流出する流出口１５９が開口する。
【００５８】
保存容器１５０は前面を開放してチルド室７に固定される箱状の容器部１５２と、容器部１５２の前方を開閉する蓋部１５１と、を有する。蓋部１５１は前壁７ｂに固定され、前壁７ｂとともに回動して前方を開放する。また蓋部１５１及び前壁７ｂは透明樹脂により形成される。
【００５９】
上壁１５２ａと後壁１５２ｂとの間には冷気が流入する開口部１５２ｃが設けられる。開口部１５２ｃ内には調湿ダンパ１５５が配される。調湿ダンパ１５５は上端の回動部１５５ａで上壁１５２ａに軸支される本体部１５５ｅと本体部１５５ｅから下方に突出する突出部１５５ｆ、１５５ｇを備えたコ字状に形成され、回動自在に配される。突出部１５５ｆには回動により開口部１５２ｃの周縁に当接する第１当接面１５５ｂを形成する（図１０参照）。突出部１５５ｇの内面は回動により開口部１５２ｃの周囲に当接する第２当接面１５５ｃを形成する（図１２参照）。突出部１５５ｆの背面は回動により吐出口５８の周囲に当接する第３当接面１５５ｄを形成する（図１２参照）。
【００６０】
上記構成の冷蔵庫１において、保存容器１５０内が低湿度で冷却されているとき、図１０に示すように開口部１５２ｃは第１当接面１５５ｂが当接して閉じられる。このとき冷気通路２１を流通する冷気は吐出口５８を介して矢印Ｄ７に示すように流入し、上下方向に分岐して矢印Ｄ８、Ｄ９に示すように隙間Ｓを流通する。そして矢印Ｄ９に流れる冷気は流出口１５９（図８参照）から流出する。
【００６１】
貯蔵物から蒸発する水分等によって保存容器１５０内が所定湿度よりも高湿度になると、湿度センサ６３の検知によって調湿ダンパ１５５が回動する。これにより、図１１に示すように開口部１５２ｃが開かれ、開口部１５２ｃを介して保存容器１５０の内外が連通する。吐出口５８から吐出された冷気は矢印Ｄ１０に示すように開口部１５２ｃを介して保存容器１５０内に流入するとともに流出する。
【００６２】
チルド室７の冷却停止時や、冷却器１８の除霜時にはダンパ１５５は回動して図１２に示すように回動する。即ち、第２当接面１５５ｃが開口部１５２ｃの周囲に当接し、第３当接面１５５ｄが吐出口５８の周囲に当接する。
【００６３】
本実施形態によると、第１実施形態と同様の効果を得ることができる。また、保存容器１５０は前面を開放してチルド室７に固定される箱状の容器部１５２と、容器部１５２の前方を開閉する蓋部１５１と、を有したため、密封性を向上して貯蔵物を容易に出し入れできる。
【００６４】
（第３実施形態）
次に図１３〜１５は第３実施形態のチルド室７の側面断面図を示している。説明の便宜上、前述の図１〜６を示す第１実施形態と同様の部分には同一の符号を付している。本実施形態では吐出口５８の高さ位置が異なり、吐出口５８の下部には冷気を上壁に沿って案内する案内部２５７が設けられる。また、調湿ダンパ２５５の形状及び取り付け位置が異なっている。
【００６５】
背面部６０の上部には開口部６０ａが設けられ、開口部６０ａ内には調湿ダンパ２５５が配される。調湿ダンパ２５５は回動部２５５ａで軸支される本体部２５５ｂと本体部２５５ｂから突出する突出部２５５ｃとを有してＬ字状に形成され、回動自在に配される。突出部２５５ｃは回動により開口部６０ａの周縁に当接する第１当接面２５５ｄを形成する（図１３参照）。本体部２５５ｂは回動により開口部６０ａの周囲に当接する第２当接面２５５ｅを形成する（図１５参照）。突出部２５５ｃは回動により吐出口５８の周囲に当接する第３当接面２５５ｆを形成する（図１５参照）。
【００６６】
第１、２実施形態と同様に低湿度でチルド室７の冷却時には、図１３に示すように第１当接面２５５ｄと蓋部５１の後部とが当接して開口部６０ａを閉じる。このとき矢印Ｄ４に示すように冷気通路２１からの冷気は吐出口５８を介して流入し、案内部２５７を介して上壁に沿って気流を隙間Ｓに案内する。その後、冷気は矢印Ｄ５に示すように戻り口５９から吐出される。
【００６７】
貯蔵物から蒸発する水分等によって保存容器２５０内が所定湿度よりも高湿度になると、湿度センサ６３の検知により調湿ダンパ２５５は図１４に示すように回動する。これにより、開口部６０ａが開口する位置まで回動する。この時、開口部６０ａに連通して気流に面して開口する細通路２５６を第１当接面２５５ｄと蓋部５１の後端との間に形成する。これにより、上壁に沿って流通する冷気に保存容器２５０内の冷気が吸引され、矢印Ｄ６に示すように細通路２５６を介して流出しやすくなる。また、保存容器２５０内が低圧になった際には細通路２５６を介して保存容器２５０内に冷気が流入する。
【００６８】
チルド室７の冷却停止時又は冷却器１８の除霜時には図１５に示すように、第２当接面２５５ｅにより開口部６０ａを塞いだ際に吐出口５８が第３当接面２５５ｆにより閉じられる。
【００６９】
本実施形態によると、第１実施形態と同様の効果を得ることができる。また、吐出口５８をチルド室７の背面に設けて吐出口５８から流入する気流がチルド室７の上面に沿って前方に冷気が流通し、調湿ダンパ２５５の第１当接面２５５ｄにより開口部６０ａを塞いだ際に吐出口５８が開かれ、第２当接面２５５ｅにより開口部６０ａを塞いだ際に吐出口５８が第３当接面２５５ｆにより閉じられ、開口部６０ａを開いた際に開口部６０ａに連通して気流に面して開口する細通路２５６を形成する。このため、保存容器２５０内の湿度の調整を容易に実現できる。
【産業上の利用可能性】
【００７０】
本発明によると、貯蔵室内に保存容器を備えた冷蔵庫に利用することができる。
【符号の説明】
【００７１】
１    冷蔵庫
３    冷蔵室
３ａ  開口部
３ｂ  扉
４    冷凍室
４ａ  開口部
４ｂ  扉
５    貯蔵室
５ａ  開口部
５ｂ  扉
６    棚板
７    チルド室（貯蔵室）
７ａ  スライド部
７ｂ  前壁
７ｃ  下壁
７ｄ  背面
７ｈ  爪部
１６    温度調節ダンパ
２１    冷気通路
３０    仕切板
３５    調整口
３６    吐出口
５０    保存容器
５１    蓋部
５２    容器部
５２ａ  前壁
５２ｂ  下面
５２ｃ  後壁
５２ｄ  後壁
５２ｅ  開口部
５５    調湿ダンパ
５５ａ  回動部
５５ｂ  本体部
５５ｃ  突出部
５５ｄ  第１当接面
５５ｅ  第２当接面
５５ｆ  第３当接面
５８    吐出口
５９    戻り口
６０ａ  開口部
６３    湿度センサ
１００  蓄冷材
１５０    保存容器
１５１    蓋部
１５１ｃ  開口部
１５２    容器部
１５２ａ  上壁
１５２ｂ  後壁
１５２ｃ  開口部
１５２ｄ  下壁
１５５    調湿ダンパ
１５５ａ  回動部
１５５ｂ  第１当接面
１５５ｃ  第２当接面
１５５ｄ  第３当接面
１５５ｅ  本体部
１５５ｆ  突出部
１５５ｇ  突出部
１５９    流出口
２５０    保存容器
２５５    調湿ダンパ
２５５ａ  回動部
２５５ｂ  本体部
２５５ｃ  突出部
２５５ｄ  第１当接面
２５５ｅ  第２当接面
２５５ｆ  第３当接面
２５６    細通路
【図１】
2013104594.tif 000003
【図２】
2013104594.tif 000004
【図３】
2013104594.tif 000005
【図４】
2013104594.tif 000006
【図５】
2013104594.tif 000007
【図６】
2013104594.tif 000008
【図７】
2013104594.tif 000009
【図８】
2013104594.tif 000010
【図９】
2013104594.tif 000011
【図１０】
2013104594.tif 000012
【図１１】
2013104594.tif 000013
【図１２】
2013104594.tif 000014
【図１３】
2013104594.tif 000015
【図１４】
2013104594.tif 000016
【図１５】
2013104594.tif 000017